(57)【特許請求の範囲】
【請求項１】
床面から冷気を吹き出す通路と、前面を前記通路に向けて設置され、前記前面から吸気して上面又は背面から排気する機器収容用ラックと、を備えた機器収容システムに用いられ、前記通路外に冷気が漏れることを抑制する機器収容システム用エンドキャップであって、
一対の柱部と、
前記柱部間に掛け渡される梁部と、
前記梁部に取り付けられて前記通路外に前記冷気が漏れることを抑制する遮蔽部と、
を備え、
前記柱部および前記梁部の少なくとも一方は、長さを調節するための寸法調節部を有し、
前記遮蔽部は、長辺と短辺とを有する短冊状に形成されて可撓性を有する複数の遮蔽部材を含んで構成され、
複数の前記遮蔽部材は、前記長辺を上下方向にして、前記短辺方向に並べるとともに、前記短辺方向の少なくとも一方の端部が隣接する前記遮蔽部材と重なっており、前記重なった部分の上方の端部のみが前記梁部に固定されていることを特徴とする機器収容システム用エンドキャップ。
【請求項２】
前記機器収容用ラックは前記通路を挟んで対向配置され、
前記通路における前記機器収容用ラックが対向する対向方向の一方側の前記機器収容用ラックは、前記対向方向の他方側の前記機器収容用ラックよりも前記通路に沿う沿在方向の一方側に広い範囲にわたり配置され、
一対の前記柱部の一方である第一柱部は、前記対向方向の一方側であって前記沿在方向の一方側の端の前記機器収容用ラックの脇に配置され、
一対の前記柱部の他方である第二柱部は、前記対向方向の他方側の前記機器収容用ラックに対して前記沿在方向に並べるとともに前記第一柱部に対向するように配置され、
前記対向方向の他方側であって前記沿在方向の一方側の端の前記機器収容用ラックの脇に配置された前記柱部である第三柱部と、
前記第二柱部と前記第三柱部との間に掛け渡される前記梁部である第二梁部と、
前記第二梁部に取り付けられて前記通路外に前記冷気が漏れることを抑制する前記遮蔽部である第二遮蔽部と、
をさらに備えることを特徴とする請求項１に記載の機器収容システム用エンドキャップ。
【請求項３】
前記機器収容用ラックは前記通路を挟んで対向配置され、
前記通路における前記機器収容用ラックが対向する対向方向の一方側の前記機器収容用ラックの高さは、前記対向方向の他方側の前記機器収容用ラックの高さよりも低く、
一対の前記柱部の一方である第一柱部は、下端部が前記対向方向の一方側の前記機器収容用ラックの天面に取付けられ、
一対の前記柱部の他方である第二柱部は、前記第一柱部よりも上下方向に長く形成されるとともに、下端部が前記対向方向の他方側の前記機器収容用ラックの天面に取付けられ、
前記梁部は水平に掛け渡されていることを特徴とする請求項１に記載の機器収容システム用エンドキャップ。
【発明の詳細な説明】
【技術分野】
【０００１】
本発明は、機器収容システム用エンドキャップ、より詳しくは、電算機室用空調システム等の機器収容システムに用いられるエンドキャップに関する。
【背景技術】
【０００２】
従来、ある空間の空気の流れや温度を調整するための種々の空調システムが提案されている。
これら空調システムの中には、高集約化・高発熱化の傾向にあるＩＴ機器や通信装置等が設置される電算機室内において、機器周辺の空気の流れや温度を調整する電算機室用空調システムが知られている。
電算機室用空調システムとしては、所定空間（通路）を挟んで対向するように整列配置された複数の機器収容用ラックと、当該機器収容用ラックの側方の所定空間に対向配置された空気調和装置とを備えたものがある。
【０００３】
このような構成のもと、空気調和装置が冷却用空気を排出すると、その冷却用空気が所定空間に送られて、機器収容用ラックに吸い込まれる。冷却用空気は、機器収容用ラックに収容された機器を冷却することにより暖められた後、機器収容用ラックから吹き出される。暖められて吹き出された空気は、電算機室の上方空間を流動して、空気調和装置に吸い込まれ、再び冷却されて排出される。このようにして、電算機室内の空気の流れや温度がコントロールされる。
【０００４】
ところが、暖められて機器収容用ラックから吹き出された空気の一部は、空気調和装置に送られることなく、上方又は通路空間からダイレクトに所定空間に還流されてしまう場合がある。その場合、所定空間内に還流された暖かい空気を機器が吸い込むことにより高温障害が発生する恐れがある。また、この高温障害防止のため、空調機が過剰な運転を強いられ、空気調和装置の効率が低下してしまうことがある。
そこで、通路の上方や両端に、板やスクリーン等の遮蔽物を掛け渡すことにより、上方又は通路空間から所定空間への空気の流動を防止して冷却効率の低下を抑制することが提案されている（例えば、特許文献１参照）。このうち、通路の両端に設置する遮蔽物は、エンドキャップと称されることがある。
【先行技術文献】
【特許文献】
【０００５】
【特許文献１】特許第３８３５６１５号公報
【発明の概要】
【発明が解決しようとする課題】
【０００６】
ところで、特許文献１に記載の構成において、上述のエンドキャップに用いられる遮蔽物としてはドア等の剛性を有するものや、スクリーンやカーテン等の比較的柔軟なもの等が使用可能であるが、いずれを採用する場合も、通路を挟んで対向するラック間に梁の役割をする長尺の部材が掛け渡されることが多い。
【０００７】
しかしながら、上述のようなエンドキャップは、左右のラックの高さが異なると長尺の部材が斜めになり設置が困難となる。さらに、ラック間の幅が異なったり、電算機室用空調システム等の機器収容システムが構築される建物の床と天井の高さが異なったりすると、通路の遮蔽に過不足が生じたり、設置が不能となったりする場合もある。これに対応するためには、それぞれのサイズに応じたエンドキャップを揃える必要があるが、その結果コスト高につながり、設置にも時間がかかるという問題がある。
また、機器収容システムを撤去した場合、取り外されたエンドキャップが適合するシステムが容易に見つからず、他の箇所における再利用が困難であるという問題もある。
【０００８】
本発明は、このような事情に鑑みてなされたものであって、機器収容システムに使用されるラックや建物の寸法等に制約されずに容易かつ短時間で設置でき、再利用が容易な機器収容システム用エンドキャップを提供することを目的とする。
【課題を解決するための手段】
【０００９】
本発明は、床面から冷気を吹き出す通路と、前面を前記通路に向けて設置され、前記前面から吸気して上面又は背面から排気する機器収容用ラックと、を備えた機器収容システムに用いられ、前記通路外に冷気が漏れることを抑制する機器収容システム用エンドキャップであって、一対の柱部と、前記柱部間に掛け渡される梁部と、前記梁部に取り付けられて前記通路外に前記冷気が漏れることを抑制する遮蔽部と、を備え、前記柱部および前記梁部の少なくとも一方は、長さを調節するための寸法調節部を有し、前記遮蔽部は、長辺と短辺とを有する短冊状に形成されて可撓性を有する複数の遮蔽部材を含んで構成され、複数の前記遮蔽部材は、前記長辺を上下方向にして、前記短辺方向に並べるとともに、前記短辺方向の少なくとも一方の端部が隣接する前記遮蔽部材と重なっており、前記重なった部分の上方の端部のみが前記梁部に固定されていることを特徴とする。
【００１０】
また、前記機器収容用ラックは前記通路を挟んで対向配置され、前記通路における前記機器収容用ラックが対向する対向方向の一方側の前記機器収容用ラックは、前記対向方向の他方側の前記機器収容用ラックよりも前記通路に沿う沿在方向の一方側に広い範囲にわたり配置され、一対の前記柱部の一方である第一柱部は、前記対向方向の一方側であって前記沿在方向の一方側の端の前記機器収容用ラックの脇に配置され、一対の前記柱部の他方である第二柱部は、前記対向方向の他方側の前記機器収容用ラックに対して前記沿在方向に並べるとともに前記第一柱部に対向するように配置され、前記対向方向の他方側であって前記沿在方向の一方側の端の前記機器収容用ラックの脇に配置された前記柱部である第三柱部と、前記第二柱部と前記第三柱部との間に掛け渡される前記梁部である第二梁部と、前記第二梁部に取り付けられて前記通路外に前記冷気が漏れることを抑制する前記遮蔽部である第二遮蔽部と、をさらに備えてもよい。
また、前記機器収容用ラックは前記通路を挟んで対向配置され、前記通路における前記機器収容用ラックが対向する対向方向の一方側の前記機器収容用ラックの高さは、前記対向方向の他方側の前記機器収容用ラックの高さよりも低く、一対の前記柱部の一方である第一柱部は、下端部が前記対向方向の一方側の前記機器収容用ラックの天面に取付けられ、一対の前記柱部の他方である第二柱部は、前記第一柱部よりも上下方向に長く形成されるとともに、下端部が前記対向方向の他方側の前記機器収容用ラックの天面に取付けられ、前記梁部は水平に掛け渡されてもよい。
【発明の効果】
【００１１】
本発明の機器収容システム用エンドキャップによれば、機器収容システムに使用されるラックや建物の寸法等に制約されずに容易かつ短時間で設置でき、再利用も容易に行うことができる。
【図面の簡単な説明】
【００１２】
【図１】本発明の機器収容システム用エンドキャップが適用された電算機室用空調システムを示す斜視図である。
【図２】同機器収容システム用エンドキャップを示す斜視図である。
【図３】同機器収容システム用エンドキャップの柱部の部分拡大図である。
【図４】同機器収容システム用エンドキャップの梁部および遮蔽部を示す部分拡大図である。
【図５】同機器収容システム用エンドキャップの他の機器収容システムへの適用例である。
【図６】同機器収容システム用エンドキャップの他の機器収容システムへの適用例である。
【発明を実施するための形態】
【００１３】
以下、本発明の一実施形態の機器収容システム用エンドキャップ（以下、単に「エンドキャップ」と称する。）について、図１から図４を参照して説明する。
まず、本発明のエンドキャップが適用される機器収容システムの一例である電算機室用空調システム（以下、単に「空調システム」と称する。）について、図１を参照して簡潔に説明する。
図１は、本実施形態のエンドキャップ３０を含む空調システム１００の概略構成を示す斜視図である。空調システム１００は、箱状に形成された電算機室１０１において利用されるものである。
【００１４】
電算機室１０１は、床下に内部空間５を有する二重床２を備えている。二重床２には、一方向に延びる通路４が形成されている。通路４となる二重床２の上面には、内部空間５に貫通する矩形状の長孔８が形成されている。そして長孔８には、矩形板状の孔あきパネル７が嵌め込まれている。孔あきパネル７には、厚さ方向に貫通する複数の孔が形成されている。これにより、床下の内部空間５と通路４の空間とが、孔あきパネル７の複数の孔を介して連通している。
【００１５】
空調システム１００は、通路４を挟んで対向配置された機器収容用ラック（以下、単に「ラック」と称する。）３と、空気調和装置６と、後述する空気の流れを規制するための規制部１０とを備えている。
【００１６】
ラック３は、略直方体形の箱状に形成されており、通信装置等の各種機器を収容するものである。これらラック３は、通路４の長手方向に沿って、通路４の幅方向両側に複数整列されて配置されている。ラック３は、互いに対向する対向面(前面３ｂ)に形成された吸気口(不図示)から、通路４の空間の空気を内部に取り込む。取り込まれた空気は、上面３ａ又は背面の吹出口から上方又は後方に向けて排出される。
【００１７】
空気調和装置６は、箱状に形成されている。この空気調和装置６は、ラック３の側方であって、通路４の長手方向の一端（図１における右方）側に配置されている。空気調和装置６は、下面の吹出口（不図示）から冷気（冷却用空気）Ａ１を吹き出す。また、電算機室１０１の上方空間を流動する空気を、その上面６ａの吸引口から吸引し、冷却した後、再び吹出口から吹き出す。
【００１８】
規制部１０は、通路４の長手方向両端を遮蔽する一対のエンドキャップ３０を備えている。
図２は、エンドキャップ３０を示す斜視図である。エンドキャップ３０は、通路４の両端を、ユーザが通行可能に遮蔽することにより通路４内に吹き出された冷気が通路外に漏れるのを抑制するものである。エンドキャップ３０は、一対の柱部４０と、柱部４０間に掛け渡される梁部５０と、梁部５０に取り付けられた遮蔽部６０とを備えている。
【００１９】
一対の柱部４０の各々は、第一柱部材４１と、第一柱部材４１に接続される第二柱部材４２と、補強部材４４とを備えている。
第一柱部材４１および第二柱部材４２は、鉄やアルミニウム等の金属等で形成され、梁部５０および遮蔽部６０の重量を支持できる程度の剛性を有する。当該剛性を有するものであれば、木材や樹脂等の他の材料で形成されてもよい。
【００２０】
図３に示すように、第二柱部材４２には、長手方向に沿って間隔をおいて複数の調整穴４２Ａが設けられており、第一柱部材４１には、調整穴４２Ａと同一（略同一を含む）の大きさの係合穴４１Ａが設けられている。したがって、係合穴４１Ａと所望の調整穴４２Ａとを同軸に配置した状態でボルト４５Ａおよびナット４５Ｂを用いて固定することにより、柱部４０の高さを多段階で調節することができる。すなわち、調整穴４２Ａおよび係合穴４１Ａにより、柱部４０の長さを調節する寸法調節部４６が構成されている。調整穴４２Ａの個数や形成間隔は、設定したい調整幅に応じて適宜決定されてよい。
【００２１】
第二柱部材４２の下端部（一方の端部）には、板状の接地部材４３が取り付けられている。図２に示すように、接地部材４３は、金属等で平面視における形状が矩形に形成されており、溶接等により第二柱部材４２の下端に取り付けられている。接地部材４３により、柱部４０と床面Ｆとが接触する面積が増加されているが、矩形に形成された接地部材４３の四辺のうち、少なくとも一辺は上方からみた平面視において、柱部４０の一辺と同一直線状に配置されている。本実施形態では、接地部材４３の四辺のうち、直交する辺４３Ａおよび４３Ｂが第二柱部材４２の下端の周縁と同一直線上に位置している。
接地部材４３は、図示しないボルト等の固定手段により床面Ｆに固定されている。
【００２２】
補強部材４４は、金属等で形成され、一方の端部に固定部４４Ａを、他方の端部に接地部４４Ｂを有する。補強部材４４は、固定部４４Ａをボルト等で第二柱部材４２に固定することにより、一体に接続された第一柱部材４１および第二柱部材４２に対して角度をなすように取り付けられる。一方、接地部４４Ｂはボルト等により床面Ｆに固定される。補強部材４４により、水平方向に作用する力に対して柱部４０がより安定して保持され、転倒等が防止される。
補強部材４４は、第一柱部材４１、第二柱部材４２のいずれに固定されてもよい。また、溶接等により着脱不能に固定されてもよいが、ボルト等により着脱可能としておくと、設置前や再利用時等における持ち運びが容易となり、好ましい。
【００２３】
梁部５０は、一体に接続される第一梁部材５１および第二梁部材５２を備えている。第一梁部材５１および第二梁部材５２には、上述の第一柱部材４１および第二柱部材４２と同様に、係合穴５１Ａおよび複数の調整穴５２Ａが形成されており、寸法調節部が設けられている。これにより、エンドキャップ３０の幅寸法を規定する梁部５０の長さを多段階に調節することができる。梁部５０は、一対の柱部４０の上端部にボルト等で固定されることにより、柱部４０間に掛け渡される。
第一梁部材５１および第二梁部材５２において、係合穴５１Ａおよび調整穴５２Ａが形成された面と異なる面には、後述する遮蔽部材を取り付けるための取り付け穴５３が、等間隔で形成されている。
【００２４】
遮蔽部６０は、複数の遮蔽部材６１を備えている。遮蔽部材６１は、短冊状の部材であり、図４に示すように、長辺６１Ａと短辺６１Ｂとを有する。遮蔽部材６１は、通路４に吹き出す冷気が通路４の両端から漏れないように遮蔽でき、可撓性を有するものであれば、材料は特に制限されないが、透明性を有するものであると、外部から通路内の様子を視認することができ、好ましい。本実施形態では、遮蔽部材６１として、透明性および可撓性を有する樹脂材料からなるものを用いている。このような材料としては、ポリエチレン（ＰＥ）、ポリプロピレン（ＰＰ）、エチレン酢酸ビニル共重合体（ＥＶＡ）、ポリ塩化ビニル（ＰＶＡ）等を挙げることができる。
【００２５】
遮蔽部材６１は、長辺６１Ａを上下方向にして、左右方向に並べた状態で梁部５０に固定されている。各遮蔽部材６１において、短辺６１Ｂの長さは、梁部５０に設けられた隣接する取り付け穴５３間の距離よりも長く設定されている。各遮蔽部材６１の短辺６１Ｂ方向の少なくとも一方の端部は隣接する遮蔽部材と重なっており、当該重なった部分がビス等の固定手段６２により梁部５０の取り付け穴５３に固定されている。
遮蔽部材６１の長辺６１Ａの長さは、設置された梁部５０に取り付けられたときに、床面Ｆに接触する長さに設定される。長辺６１Ａの長さを、床面Ｆに接触するために必要な長さよりも若干（例えば１０センチメートル前後）長めにしておくと、ユーザの通路４への出入り時にも遮蔽部材が床面から離れることがなくなり、より冷気が漏れにくくなるため、好ましい。
【００２６】
上記のように構成されたエンドキャップ３０の設置時の動作について説明する。設置前においては、柱部４０を構成する第一柱部材４１および第二柱部材４２、梁部５０を構成する第一梁部材５１および第二梁部材５２、複数の遮蔽部材６１または遮蔽部材となる材料がロール状に巻かれた原反など、並びにボルト等の固定手段が、組み立てられていない状態で設置現場まで運搬される。これらの多くは細長の部材であるため、比較的場所を取りにくく、スムーズに搬送および搬入を行うことができる。
【００２７】
電算機室１０１等の設置現場に着いたら、通路４の両脇のラック３の高さおよび通路の幅を計測し、柱部４０の高さ、梁部５０の長さ、および遮蔽部材６１の長辺６１Ａの長さおよび取り付け枚数を決定する。設置現場での計測に代えて、電算機室１０１の設計図面等に基づき、予めこれらの数量を決定しておいてもよい。
なお、左右のラックの高さが異なる場合は、高い方のラックにあわせて柱部４０の高さを決定するのが好ましい。
【００２８】
各部の寸法等を決定後、ユーザは当該寸法にもとづいて第一柱部材４１と第二柱部材４２とを接続して柱部の一部を形成し、第一梁部材５１と第二梁部材５２とを接続して梁部５０を形成する。遮蔽部材６１は、当該寸法に基づいて複数種類の遮蔽部材から選択してもよいし、原反から切り出して準備してもよい。
【００２９】
次に、第一柱部材４１と第二柱部材４２とを接続した部材を二本立て、その間に梁部５０を掛け渡して固定する。ここまでの作業でエンドキャップ３０のフレームが完成する。
フレーム完成後、ユーザは、第二柱部材４２に取り付けられた接地部材４３の四辺のうち、平面視において柱部４０の一辺と同一直線上に配置された辺４３Ａをラック３に近づけるようにしてフレームの位置決めを行い、ボルト等により接地部材４３を床面Ｆに固定する。さらに、補強部材４４を第二柱部材４２および床面Ｆに固定する。
【００３０】
最後に、所定枚数の遮蔽部材６１を短辺６１Ｂ方向の端部が重なるようにして梁部５０の取り付け穴５３に固定すると、エンドキャップ３０が完成する。
なお、上述した設置時の各動作は、作業に支障をきたさない範囲で適宜前後してもよい。
【００３１】
設置後のエンドキャップ３０により、通路４両端に遮蔽部６０が配置される。図１に示すように、通路４の床面から吹き出す冷気Ａ１は、ラック３から排出される冷却後の暖気Ａ２と混和されることなくラック３に取り込まれて、ラック３内の機器が効率よく冷却される。冷却後の暖気Ａ２は、隔絶された通路４の外側を通って空気調和装置６に取り込まれ冷却される。
通路４内において、ラック３や内部の機器等のメンテナンスを行う際は、遮蔽部６０の遮蔽部材６１を変形させることで、遮蔽部材間から容易に通路４内に出入りすることができる。
【００３２】
エンドキャップ３０を撤去する際は、上述と逆の手順で取り外しおよび解体を行うと、設置前の状態に戻り、運搬が容易となる。また、一定範囲で寸法調節を行うことができるため、別の設置現場における再利用も容易である。なお、遮蔽部材６１はそのまま使ったり、別の設置現場に鑑みて長い場合は適宜切ったりして再利用可能であるが、別の設置現場では短くて充分通路を遮蔽できない等の場合は使い捨てとしてもよい。
【００３３】
本実施形態のエンドキャップ３０によれば、一対の柱部４０と、柱部４０間に掛け渡される梁部５０とを備えているため、通路両側のラックの高さが異なっていても支障なく設置することができる。また、ラックに直接固定しないため、ラックの所有者が異なる等の場合に固定する許可を取る必要がなく、手続面を含めて容易に設置を行うことができる。
【００３４】
また、遮蔽部６０は、可撓性を有する複数の遮蔽部材６１で形成されているため、通路４への出入りのしやすさと遮蔽効果とを高いレベルで両立させることができる。
本実施形態においては、透明性を有する樹脂材料で遮蔽部材６１を形成しているため、通路４内が視認しやすいという効果を奏することは既に説明した。これに加えて、このような樹脂材料で形成された遮蔽部材が短辺６１Ｂ方向端部において重ねられて取り付けられているため、重ねられた部位が適度に貼りついて隣接する遮蔽部材が密着する。これにより、冷気が遮蔽部材間から漏れることが好適に抑制される。
【００３５】
さらに、柱部４０および梁部５０には、寸法調節部が形成されているため、柱部４０および梁部４０の寸法を多段階に調節することができ、様々なラック高さや通路幅の機器収容システムに適合させるための調節を、設置現場で簡便に行って設置することができる。
【００３６】
さらに、接地部材４３は、少なくとも一辺が、平面視において柱部４０の一辺と同一直線上に配置されるように取り付けられているため、当該一辺をラックに接近させて設置することで、柱部４０をほぼ隙間なくラック３に近づけてエンドキャップ３０を設置することができる。これにより冷気の漏れをより好適に抑制することができる。
【００３７】
加えて、エンドキャップ３０は、ボルト止め等の簡易な作業のみで設置することができるので、短時間かつ低コストで容易に設置を行うことができる。
【００３８】
以上、本発明の一実施形態について説明したが、本発明の技術範囲は上記実施形態に限定されるものではなく、本発明の趣旨を逸脱しない範囲において種々の変更を加えることが可能である。
図５に示す空調システムでは、通路４の左右に配置されたラック３の個数が異なっている。このような空調システムに本発明のエンドキャップを適用する場合は、図５に示すように、一対の柱部４０に加えて、同一構造の柱部４０Ａを追加し、一方の柱部４０と柱部４０Ａとの間に、隙間に適合した長さの梁部５５を掛け渡して遮蔽部材６３を取り付けることで、ラック個数が異なることにより生じた隙間を好適に遮蔽することができる。この場合、遮蔽部材６３が形成された場所は、通常通路４への出入りに使用されないため、遮蔽部材６３として、可撓性を有さないアクリル板や、透明性を有さない金属板等が用いられてもよい。
【００３９】
また、ラックへの固定が可能な場合は、図６に示すように、通路の左右で異なる高さの柱部４０Ｂおよび４０Ｃを用いることにより、通路４の左右のラック３の高さが異なっていても梁部５０を水平に掛け渡すことができる。このような設置は、通路４の両端に充分なスペースがない場合等に有用である。
【００４０】
また、本発明のエンドキャップは、ラック間の通路を遮蔽する場合だけでなく、ラックと壁との間の通路を遮蔽する場合にも問題なく使用することができる。このとき、梁部の一部として、第二柱部材のように接地部材が取り付けられたものを用い、接地部材を壁面にボルト等で固定することにより、一本の柱部と梁部とでフレームを形成してもよい。
【００４１】
また、本発明のエンドキャップにおいては、寸法調節部は、柱部および梁部の少なくとも一方に設けられればよい。このようにすると、調整可能な寸法範囲は狭くなるものの、一定の効果を得ることはできる。
【００４２】
さらに、本発明のエンドキャップは、通路の両端以外の箇所を遮蔽する場合にも好適に使用することができる。例えば、通路の長手方向に並んだラック列において、一つまたは複数のラックが欠ける等によりラック間に形成された空間を遮蔽する際にも使用可能である。このような場合に本発明のエンドキャップを用いれば、当該空間の両側に配置されたラックの高さが異なっていても、好適に設置して冷気の漏れを防ぐことができる。
また、通路の幅方向片側にのみラック列がある場合、幅方向の反対側を本発明のエンドキャップのみで遮蔽して冷気の漏れにくい通路を構築してもよい。
【符号の説明】
【００４３】
３  機器収容用ラック
４  通路
３０  機器収容システム用エンドキャップ
４０、４０Ａ、４０Ｂ，４０Ｃ  柱部
４３  接地部材
４６  寸法調節部
５０、５５  梁部
６０  遮蔽部
６１  遮蔽部材
１００  電算機用空調システム（機器収容システム）
【図１】
0005557755.tif 000002
【図２】
0005557755.tif 000003
【図３】
0005557755.tif 000004
【図４】
0005557755.tif 000005
【図５】
0005557755.tif 000006
【図６】
0005557755.tif 000007